【手続補正書】
【提出日】平成26年9月18日(2014.9.18)
【手続補正１】
【補正対象書類名】特許請求の範囲
【補正対象項目名】全文
【補正方法】変更
【補正の内容】
【特許請求の範囲】
【請求項１】
従業員の健康を監視するためのシステムであって、前記システムは、
前記従業員が業務に従事している間に前記従業員の上または近辺に提供されるように構成された１組の１つ以上の健康センサであって、前記１つ以上の健康センサが、前記センサによって感知された特性に対応する健康データを出力するように構成され、前記１つ以上の健康センサが、前記従業員のバイオメトリック特性を感知するように構成された少なくとも１つ以上のバイオメトリックセンサと、前記従業員のバイオメカニック特性を感知するように構成されたバイオメカニックセンサとを備える、１組の１つ以上の健康センサと、
前記従業員の少なくとも１つのバイオメトリックまたはバイオメカニック特性を感知するように、その中に一体化された前記１つ以上の健康センサのうちの少なくとも１つを備えるモバイル通信デバイスであって、
前記１組の１つ以上の健康センサから、収集された前記健康データが、前記従業員の健康プロファイルを決定するために使用され、前記健康プロファイルが、収集された前記健康データに少なくとも部分的に基づいて決定された前記従業員の健康特性、健康状態、健康の危険性、および健康計画のうちの少なくとも１つ、ならびに１つ以上の予測された健康問題を含む、前記健康データを収集し、
収集された前記健康データに少なくとも部分的に基づいて決定された前記従業員の前記健康プロファイルの前記健康特性、前記健康状態、前記健康の危険性、および前記健康計画のうちの少なくとも１つを含んでおり、前記従業員が前記１つ以上の予測された健康問題について警告され、前記１つ以上の予測された健康問題が実際の健康問題に発展する前に前記１つ以上の予測された健康問題に対処する機会が提供されるように、前記１つ以上の予測された健康問題を示すコンテンツを含んでいる健康レポートを、前記モバイル通信デバイスの、グラフィカルユーザインターフェースを介して表示するように構成された、モバイル通信デバイスと、を備える、システム。
【請求項２】
前記１組の１つ以上の健康センサのうちの１つ以上が、前記従業員が業務に従事している間に前記従業員によって着用される安全ヘルメット、作業手袋、作業靴、または作業服のうちの少なくとも１つに配置される、請求項１に記載のシステム。
【請求項３】
前記モバイル通信デバイスと一体化された前記１つ以上の健康センサのうちの前記少なくとも１つが、センサパッド、センサ画面、温度カメラ、および赤外線（ＩＲ）センサのうちの少なくとも１つを備える、請求項１または２に記載のシステム。
【請求項４】
前記モバイル通信デバイスと一体化された前記１つ以上の健康センサのうちの前記少なくとも１つが、前記従業員の皮膚と１つ以上の導電性接触部との間の物理的接触を介して、前記従業員の少なくとも１つのバイオメトリックまたはバイオメカニック特性を感知するように構成された前記１つ以上の導電性接触部を備えるセンサパッドを備える、請求項１〜３のいずれか一項に記載のシステム。
【請求項５】
前記モバイル通信デバイスと一体化された前記１つ以上の健康センサのうちの前記少なくとも１つが、センサパッドを備える体脂肪センサを備え、前記センサパッドが、前記モバイル通信デバイスの本体内に物理的に一体化され、且つ、使用中に前記従業員の右手および左手によって握られるように構成された２つの導電性接触部を備え、前記モバイル通信デバイスは、抵抗測定値が前記従業員の右手および左手を横断した前記従業員の体脂肪を示すように、前記２つの導電性接触部が前記従業員の右手および左手によって握られている間に、前記２つの導電性接触部を横断した前記抵抗測定値を得るように構成され、前記モバイル通信デバイスによって収集された前記健康データが、前記抵抗測定値を示す体脂肪データを含む、請求項１〜４のいずれか一項に記載のシステム。
【請求項６】
前記モバイル通信デバイスと一体化された前記１つ以上の健康センサのうちの前記少なくとも１つが、センサパッドを備える体温センサを備え、前記センサパッドが、使用中に前記従業員の手に接触するように構成された導電性接触部を備え、前記モバイル通信デバイスは、温度測定値が前記従業員の体温を示すように、前記導電性接触部が前記従業員の手によって握られている間に前記導電性接触部から前記温度測定値を得るように構成され、前記モバイル通信デバイスによって収集された前記健康データが、前記温度測定値を示す温度データを含む、請求項１〜５のいずれか一項に記載のシステム。
【請求項７】
前記モバイル通信デバイスと一体化された前記１つ以上の健康センサのうちの前記少なくとも１つが、前記従業員の皮膚とセンサ画面との間の物理的接触を介して、前記従業員の少なくとも１つのバイオメトリックまたはバイオメカニック特性を感知するように構成された前記センサ画面を備える、請求項１〜６のいずれか一項に記載のシステム。
【請求項８】
前記モバイル通信デバイスと一体化された前記１つ以上の健康センサのうちの前記少なくとも１つは、タッチ画面が前記ユーザの指または手によって触れられている間に前記従業員の指紋または手形のうちの少なくとも１つを収集するように構成された前記画面を備え、前記従業員の識別は、前記モバイル通信デバイスの前記タッチ画面を介して収集された指紋または手形のうちの前記少なくとも１つに少なくとも部分的に基づいて検証される、請求項１〜７のいずれか一項に記載のシステム。
【請求項９】
前記モバイル通信デバイスと一体化された前記１つ以上の健康センサのうちの前記少なくとも１つが、前記従業員の体温を示す熱画像データを取得するように構成された熱画像カメラを備える温度センサを備え、前記モバイル通信デバイスによって収集された前記健康データが、前記従業員の前記体温を示す前記熱画像データに対応する温度データを含む、請求項１〜８のいずれか一項に記載のシステム。
【請求項１０】
前記モバイル通信デバイスと一体化された前記１つ以上の健康センサのうちの前記少なくとも１つが、前記従業員の前記体温を示す赤外線（ＩＲ）データを取得するように構成されたＩＲセンサを備える温度センサを備え、前記モバイル通信デバイスによって収集された前記健康データが、前記従業員の前記体温を示す前記ＩＲデータに対応する温度データを含む、請求項１〜９のいずれか一項に記載のシステム。
【請求項１１】
前記モバイル通信デバイスと一体化された前記１つ以上の健康センサのうちの前記少なくとも１つが、前記従業員の身体の位置を示す画像データを取得するように構成されたカメラを備える位置センサを備え、前記モバイル通信デバイスによって収集された前記健康データが、前記従業員の前記身体の位置を示す前記画像データに対応する位置データを含む、請求項１〜１０のいずれか一項に記載のシステム。
【請求項１２】
前記健康センサのうちの１つ以上が、前記モバイル通信デバイスと通信状態にある少なくとも１つ以上のリモートセンサを備え、前記少なくとも１つ以上のリモートセンサが、前記従業員の体温を示す温度データを出力するように構成された温度センサ、前記従業員の血中酸素濃度を示す血液状態データを出力するように構成された血液状態センサ、前記従業員の血圧を示す血圧データを出力するように構成された血圧センサ、前記従業員の体脂肪を示す体脂肪データを出力するように構成された体脂肪センサ、前記従業員の呼吸数を示す呼吸データを出力するように構成された呼吸センサ、前記従業員の脳の活動を示す神経データを出力するように構成された神経センサ、前記従業員の体重または従業員によってかけられた力を示す力データを出力するように構成された力センサ、前記従業員の身体の位置を示す位置データを出力するように構成された位置センサ、および前記従業員のバイオメトリックまたはバイオメカニック特性のうちの少なくとも１つを示す画像データを出力するように構成されたカメラセンサのうちの少なくとも１つからなり、
前記リモートセンサのうちの前記少なくとも１つ以上が、前記温度データ、血圧データ、体脂肪データ、呼吸データ、神経データ、力データ、位置データ、および画像データのそれぞれを前記モバイル通信デバイスへ伝送するように構成される、請求項１〜１１のいずれか一項に記載のシステム。
【請求項１３】
前記少なくとも１つ以上のリモートセンサが、前記少なくとも１つ以上のリモートセンサと前記モバイル通信デバイスとの間の無線接続を介して、前記温度データ、血圧データ、体脂肪データ、呼吸データ、神経データ、力データ、位置データ、および画像データの出力のそれぞれを前記モバイル通信デバイスへ伝送するように構成される、請求項１２に記載のシステム。
【請求項１４】
前記モバイル通信デバイスが、携帯電話、パーソナルデジタルアシスタント（ＰＤＡ）
、およびタブレットコンピュータのうちの少なくとも１つを含む、請求項１〜１３のいずれか一項に記載のシステム。
【請求項１５】
前記健康プロファイルが、前記受信された健康データに少なくとも部分的に基づいて決定された前記従業員の体温、体重、体脂肪、心拍数、血圧、血中酸素濃度、呼吸数、脳の活動、身体の位置、眼の動き、および身体運動のうちの少なくとも１つを含む、請求項１〜１４のいずれか一項に記載のシステム。
【請求項１６】
前記健康プロファイルが、前記受信された健康データに少なくとも部分的に基づいて決定された肥満の危険性、損傷の危険性、糖尿病の危険性、感染症の危険性、炎症の危険性、循環問題の危険性、心血管疾患の危険性、心血管発作の危険性、病気の危険性、喘息の危険性、アレルギーの危険性、気管支炎の危険性、筋骨格症候群の危険性、手根管症候群の危険性、上顆炎の危険性、腱板損傷の危険性、眼疾患の危険性、肉体的疲労の危険性のうちの少なくとも１つを含む、請求項１〜１５のいずれか一項に記載のシステム。
【請求項１７】
従業員の健康を職場環境にいる間に監視するためのシステムであって、
通信ネットワークと、
前記通信ネットワークに接続された健康データベースであって、１人以上の従業員の健康情報を記憶する、データベースと、
前記従業員から健康データを収集するように構成された１組の１つ以上の健康センサであって、
前記従業員のバイオメトリック特性を感知し、前記従業員の前記感知されたバイオメトリック特性に対応するバイオメトリックデータを出力するように構成された１組の１つ以上のバイオメトリックセンサであって、前記従業員の体温を示す温度データを出力するように構成された温度センサ、前記従業員の血中酸素濃度を示す血液状態データを出力するように構成された血液状態センサ、前記従業員の血圧を示す血圧データを出力するように構成された血圧センサ、前記従業員の体脂肪を示す体脂肪データを出力するように構成された体脂肪センサ、前記従業員の呼吸数を示す呼吸データを出力するように構成された呼吸センサ、前記従業員の脳の活動を示す神経データを出力するように構成された神経センサ、前記従業員の体重を示す力データを出力するように構成された力センサ、前記従業員の身体の位置を示す位置データを出力するように構成された位置センサ、および前記従業員のバイオメトリック特性を示す画像データを出力するように構成されたカメラセンサのうちの少なくとも１つを備える、１組の１つ以上のバイオメトリックセンサと、
前記従業員のバイオメカニック特性を感知し、前記従業員の前記感知されたバイオメカニック特性に対応するバイオメカニックデータを出力するように構成された１組の１つ以上のバイオメカニックセンサであって、前記従業員の脳の活動を示す神経データを出力するように構成された神経センサ、前記従業員のバイオメカニック特性を示す画像データを出力するように構成されたカメラセンサ、前記従業員によってかけられた力を示す力データを出力するように構成された力センサ、および前記従業員の身体の位置を示す位置データを出力するように構成された位置センサのうちの少なくとも１つを備える、１組の１つ以上のバイオメカニックセンサと、
前記通信ネットワークに接続されたモバイル通信デバイスであって、前記モバイル通信デバイスは、前記１組の１つ以上の健康センサから前記健康データを収集し、前記１組の１つ以上の健康センサから収集された前記健康データに対応する健康データを出力するように構成され、前記従業員の少なくとも１つのバイオメトリックまたはバイオメカニック特性を感知するように、その中に一体化された前記１つ以上の健康センサのうちの少なくとも１つを備える、モバイル通信デバイスと、
前記通信ネットワークに接続された健康サーバであって、
前記通信ネットワークを介して、前記モバイル通信デバイスによって出力された健康データを受信し、
前記受信された健康データに少なくとも部分的に基づいて、前記受信された健康データに少なくとも部分的に基づいて決定された前記従業員の健康特性、健康状態、健康の危険性、および健康計画のうちの少なくとも１つ、ならびに、１つ以上の予測された健康問題を含む、前記従業員の健康プロファイルを決定し、
前記従業員の前記健康プロファイルを反映するように、前記データベースに記憶された前記健康情報を更新し、
前記従業員の前記健康プロファイルの前記健康特性、前記健康状態、前記健康の危険性、および前記健康計画のうちの少なくとも１つ、ならびに、前記従業員が前記１つ以上の予測された健康問題について警告され、前記１つ以上の予測された健康問題が実際の健康問題に発展する前に前記１つ以上の予測された健康問題に対処する機会が提供されるように、前記１つ以上の予測された健康問題を示すコンテンツを含む、健康レポートコンテンツを、前記モバイル通信デバイスのグラフィカル表示を介して前記ユーザに表示するために前記モバイル通信デバイスに提供するように構成された、健康サーバと、を備える、システム。
【請求項１８】
前記モバイル通信デバイス内に一体化された前記１組の１つ以上の健康センサのうちの前記少なくとも１つが、前記従業員の皮膚と１つ以上の導電性接触部との間の物理的接触を介して、前記従業員の少なくとも１つのバイオメトリックまたはバイオメカニック特性を感知するように構成された前記１つ以上の導電性接触部を備えるセンサパッドを備える、請求項１７に記載のシステム。
【請求項１９】
前記モバイル通信デバイス内に一体化された前記１組の１つ以上の健康センサのうちの前記少なくとも１つが、センサパッドを備える体脂肪センサを備え、前記センサパッドが、前記モバイル通信デバイスの本体内に物理的に一体化され、使用中に前記従業員の右手および左手によって握られるように構成された２つの導電性接触部を備え、前記モバイル通信デバイスは、抵抗測定値が前記従業員の右手および左手を横断した前記従業員の体脂肪を示すように、前記２つの導電性接触部が前記従業員の右手および左手によって握られている間に、前記２つの導電性接触部を横断した前記抵抗測定値を得るように構成され、前記モバイル通信デバイスによって収集された前記健康データが、前記抵抗測定値を示す体脂肪データを含む、請求項１７または１８に記載のシステム。
【請求項２０】
前記モバイル通信デバイス内に一体化された前記１組の１つ以上の健康センサのうちの前記少なくとも１つが、センサパッドを備える体温センサを備え、前記センサパッドが、使用中に前記従業員の手に接触するように構成された導電性接触部を備え、前記モバイル通信デバイスは、温度測定値が前記従業員の体温を示すように、前記導電性接触部が前記従業員の手によって握られている間に前記導電性接触部から前記温度測定値を得るように構成され、前記モバイル通信デバイスによって収集された前記健康データが、前記温度測定値を示す温度データを含む、請求項１７〜１９のいずれか一項に記載のシステム。
【請求項２１】
前記モバイル通信デバイス内に一体化された前記１組の１つ以上の健康センサのうちの前記少なくとも１つが、前記従業員の皮膚とセンサ画面との間の物理的接触を介して、前記従業員の少なくとも１つのバイオメトリックまたはバイオメカニック特性を感知するように構成された前記センサ画面を備える、請求項１７〜２０のいずれか一項に記載のシステム。
【請求項２２】
前記サーバが、従業員の識別を検証するように構成され、前記センサ画面は、前記画面が前記ユーザの指または手によって接触されている間に前記従業員の指紋および手形のうちの少なくとも１つを収集するように構成されたタッチ画面を含み、前記従業員の識別が、前記モバイル通信デバイスの前記タッチ画面を介して収集された指紋および手形のうちの少なくとも１つに少なくとも部分的に基づいて検証される、請求項２１に記載のシステム。
【請求項２３】
前記モバイル通信デバイス内に一体化された前記１組の１つ以上の健康センサのうちの前記少なくとも１つが、前記従業員の体温を示す熱画像データを取得するように構成された熱画像カメラを備える温度センサを備え、前記モバイル通信デバイスによって収集された前記健康データが、前記従業員の前記体温を示す前記熱画像データに対応する温度データを含む、請求項１７〜２２のいずれか一項に記載のシステム。
【請求項２４】
前記モバイル通信デバイス内に一体化された前記１組の１つ以上の健康センサのうちの前記少なくとも１つが、前記従業員の前記体温を示す赤外線（ＩＲ）データを取得するように構成されたＩＲセンサを備える温度センサを備え、前記モバイル通信デバイスによって収集された前記健康データが、前記従業員の前記体温を示す前記ＩＲデータに対応する温度データを含む、請求項１７〜２３のいずれか一項に記載のシステム。
【請求項２５】
前記モバイル通信デバイス内に一体化された前記１組の１つ以上の健康センサのうちの前記少なくとも１つが、前記従業員の身体の位置を示す画像データを取得するように構成されたカメラを備える位置センサを備え、前記モバイル通信デバイスによって収集された前記健康データが、前記従業員の前記身体の位置を示す前記画像データに対応する位置データを含む、請求項１７〜２４のいずれか一項に記載のシステム。
【請求項２６】
前記健康センサのうちの１つ以上が、前記モバイル通信デバイスと通信状態にある少なくとも１つ以上のリモートセンサを備え、前記少なくとも１つ以上のリモートセンサが、前記従業員の体温を示す温度データを出力するように構成された温度センサ、前記従業員の血中酸素濃度を示す血液状態データを出力するように構成された血液状態センサ、前記従業員の血圧を示す血圧データを出力するように構成された血圧センサ、前記従業員の体脂肪を示す体脂肪データを出力するように構成された体脂肪センサ、前記従業員の呼吸数を示す呼吸データを出力するように構成された呼吸センサ、前記従業員の脳の活動を示す神経データを出力するように構成された神経センサ、前記従業員の体重または従業員によってかけられた力を示す力データを出力するように構成された力センサ、前記従業員の身体の位置を示す位置データを出力するように構成された位置センサ、および前記従業員のバイオメトリックまたはバイオメカニック特性のうちの少なくとも１つを示す画像データを出力するように構成されたカメラセンサのうちの少なくとも１つからなり、
前記少なくとも１つ以上のリモートセンサが、前記温度データ、血圧データ、体脂肪データ、呼吸データ、神経データ、力データ、位置データ、および画像データのそれぞれを前記モバイル通信デバイスへ伝送するように構成される、請求項１７〜２５のいずれか一項に記載のシステム。
【請求項２７】
前記少なくとも１つ以上のリモートセンサが、前記少なくとも１つ以上のリモートセンサと前記モバイル通信デバイスとの間の無線接続を介して、前記温度データ、血圧データ、体脂肪データ、呼吸データ、神経データ、力データ、位置データ、および画像データの出力のそれぞれを前記モバイル通信デバイスへ伝送するように構成される、請求項２６に記載のシステム。
【請求項２８】
前記健康プロファイルが、前記受信された健康データに少なくとも部分的に基づいて決定された、前記従業員の体温、体重、体脂肪、脈拍、血圧、血中酸素濃度、呼吸数、脳の活動、身体の位置、眼の動き、および身体運動のうちの少なくとも１つを含む、請求項１７〜２７のいずれか一項に記載のシステム。
【請求項２９】
前記健康プロファイルが、前記受信された健康データに少なくとも部分的に基づいて決定された、肥満の危険性、損傷の危険性、糖尿病の危険性、感染症の危険性、炎症の危険性、循環問題の危険性、心血管疾患の危険性、心血管発作の危険性、病気の危険性、喘息の危険性、アレルギーの危険性、気管支炎の危険性、筋骨格症候群の危険性、手根管症候群の危険性、上顆炎の危険性、腱板損傷の危険性、眼疾患の危険性、肉体的疲労の危険性のうちの少なくとも１つを含む、請求項１７〜２８のいずれか一項に記載のシステム。
【請求項３０】
前記モバイル通信デバイスが、携帯電話、パーソナルデジタルアシスタント（ＰＤＡ）
、およびタブレットコンピュータのうちの少なくとも１つを含む、請求項１７〜２９のいずれか一項に記載のシステム。
【請求項３１】
従業員の健康を職場環境にいる間に監視するためのプログラム命令を含む、非一過性コンピュータ可読記憶媒体であって、前記コンピュータプログラム命令は、
モバイル通信デバイスによって出力された健康データを通信ネットワークを介して受信するステップであって、前記モバイル通信デバイスが、前記通信ネットワークに接続され、前記モバイル通信デバイスが、１組の１つ以上の健康センサから健康データを収集し、前記１組の１つ以上の健康センサから収集された前記健康データに対応する健康データを出力するように構成され、前記モバイル通信デバイスが、前記従業員の少なくとも１つのバイオメトリックまたはバイオメカニック特性を感知するようにその中に一体化された前記１つ以上の健康センサのうちの少なくとも１つを備え、前記１組の１つ以上の健康センサが、
前記従業員のバイオメトリック特性を感知し、前記従業員の前記感知されたバイオメトリック特性に対応するバイオメトリックデータを出力するように構成された１組の１つ以上のバイオメトリックセンサであって、前記従業員の体温を示す温度データを出力するように構成された温度センサ、前記従業員の血中酸素濃度を示す血液状態データを出力するように構成された血液状態センサ、前記従業員の血圧を示す血圧データを出力するように構成された血圧センサ、前記従業員の体脂肪を示す体脂肪データを出力するように構成された体脂肪センサ、前記従業員の呼吸数を示す呼吸データを出力するように構成された呼吸センサ、前記従業員の脳の活動を示す神経データを出力するように構成された神経センサ、前記従業員の体重を示す力データを出力するように構成された力センサ、前記従業員の身体の位置を示す位置データを出力するように構成された位置センサ、および前記従業員のバイオメトリック特性を示す画像データを出力するように構成されたカメラセンサとのうちの少なくとも１つを備える、１組の１つ以上のバイオメトリックセンサと、
前記従業員のバイオメカニック特性を感知し、前記従業員の前記感知されたバイオメカニック特性に対応するバイオメカニックデータを出力するように構成された１組の１つ以上のバイオメカニックセンサであって、前記従業員の脳の活動を示す神経データを出力するように構成された神経センサ、前記従業員のバイオメカニック特性を示す画像データを出力するように構成されたカメラセンサ、前記従業員によってかけられた力を示す力データを出力するように構成された力センサ、および前記従業員の身体の位置を示す位置データを出力するように構成された位置センサのうちの少なくとも１つを備える、１組の１つ以上のバイオメカニックセンサと、のうちの少なくとも１つを備える、ステップと、
前記受信された健康データに少なくとも部分的に基づいて、前記従業員の健康プロファイルを決定するステップであって、前記健康プロファイルが、前記受信された健康データに少なくとも部分的に基づいて決定された前記従業員の健康特性、健康状態、健康の危険性、および健康計画のうちの少なくとも１つ、ならびに、１つ以上の予測された健康問題を含む、ステップと、
前記従業員の前記健康プロファイルを反映するように、健康データベースに記憶された健康情報を更新するステップと、
前記従業員の前記健康プロファイルの前記健康特性、前記健康状態、前記健康の危険性、および前記健康計画のうちの少なくとも１つ、ならびに、前記従業員が前記１つ以上の予測された健康問題について警告され、前記１つ以上の予測された健康問題が実際の健康問題に発展する前に前記１つ以上の予測された健康問題に対処する機会が提供されるように、前記１つ以上の予測された健康問題を示すコンテンツを含む健康レポートコンテンツを、前記モバイル通信デバイスのグラフィカル表示を介して前記ユーザに表示するために前記モバイル通信デバイスに提供するステップと、を生じるようにコンピュータプロセスによって実行可能である、非一過性コンピュータ可読記憶媒体。
【請求項３２】
従業員の健康を監視するためにコンピュータにより実行される方法であって、
前記従業員が業務に従事している間に前記従業員の上または近辺に提供された１組の１つ以上の健康センサから健康データを収集することであって、前記１つ以上の健康センサが、前記健康センサによって感知された特性に対応する健康データを出力するように構成され、前記１つ以上の健康センサが、前記従業員のバイオメトリック特性を感知するように構成された少なくとも１つ以上のバイオメトリックセンサと、前記従業員のバイオメカニック特性を感知するように構成されたバイオメカニックセンサとを備え、前記１つ以上の健康センサのうちの少なくとも１つが、モバイル通信デバイス内部に一体化され、収集された前記健康データが、前記従業員の健康プロファイルを決定するために使用され、前記健康プロファイルが、収集された前記健康データに少なくとも部分的に基づいて決定された前記従業員の健康特性、健康状態、健康の危険性、および健康計画のうちの少なくとも１つを含む、ことと、
前記モバイル通信デバイスのグラフィカルユーザインターフェースを介して、前記収集された健康データに少なくとも部分的に基づいて決定された前記従業員の前記健康プロファイルの前記健康特性、前記健康状態、前記健康の危険性、および前記健康計画のうちの少なくとも１つを含む健康レポートを表示することと、を含む、方法。
【請求項３３】
従業員の健康を監視するためにコンピュータにより実行される方法であって、
１つ以上のモバイル通信デバイスを介して、従業員が作業に従事している間に従業員の上または近辺に提供された１組の１つ以上の健康センサから健康データを収集することであって、前記１つ以上の健康センサが、前記健康センサによって感知された特性に対応する健康データを出力するように構成され、前記１つ以上の健康センサが、前記従業員のバイオメトリック特性を感知するように構成された少なくとも１つ以上のバイオメトリックセンサと、前記従業員のバイオメカニック特性を感知するように構成されたバイオメカニックセンサとを備えることと、
収集された前記健康データを使用して前記従業員の健康プロファイルを決定することであって、前記健康プロファイルが、収集された前記健康データに少なくとも部分的に基づいて決定された前記従業員の健康特性、健康状態、健康上の危険性、および健康上の計画のうちの少なくとも１つを含むことと、
前記１つ以上のモバイル通信デバイスのうちの少なくとも１つのグラフィカルユーザインターフェースを介して表示を提供することと、を含み、健康レポートは、前記収集された健康データに少なくとも部分的に基づいて決定された前記従業員の前記健康プロファイルの前記健康特性、前記健康状態、前記健康上の危険性、および前記健康上の計画のうちの少なくとも１つを含む、方法。